(57)【特許請求の範囲】
【請求項１】
断熱箱体内に形成した貯蔵室を冷却装置により冷却してなる冷却貯蔵庫において、前記断熱箱体の前面及びそれに隣接する側面にそれぞれ形成された開口と、該開口をそれぞれ開閉自在に閉塞した扉と、該一方の扉の相隣る扉の非枢支側に設けられた回動可能な縦仕切体とを備え、各扉にはそれぞれガスケットが設けられ、前記縦仕切体は扉閉塞直前では徐々に、前記縦仕切体の非装着側の扉のガスケットから離れる方向へ回動し、扉閉塞時には前記縦仕切体の非装着側の扉のガスケットに当接することを特徴とする冷却貯蔵庫。
【請求項２】
断熱箱体にて上下に２室の貯蔵室を画成し、該貯蔵室を冷却装置により冷却してなる冷却貯蔵庫において、下室に設けられ、前記断熱箱体の前面及びそれに隣接する側面にそれぞれ形成された下室開口と、該下室開口をそれぞれ開閉自在に閉塞する下室扉と、上室に設けられ、前記断熱箱体の前面及びそれに隣接する側面にそれぞれ形成された上室開口と、該上室開口をそれぞれ開閉自在に閉塞する上室扉と、該一方の上室扉の相隣る扉の非枢支側に設けられた回動可能な縦仕切体とを備え、各上室扉にはそれぞれガスケットが設けられ、前記縦仕切体は扉閉塞直前では徐々に、前記縦仕切体の非装着側の上室扉のガスケットから離れる方向へ回動し、扉閉塞時には前記縦仕切体の非装着側の上室扉のガスケットに当接することを特徴とする冷却貯蔵庫。
【発明の詳細な説明】
【０００１】
【発明の属する技術分野】
本発明は、扉開時にピラーが開口部に位置しないピラーレス貯蔵庫に関する。
【０００２】
【従来の技術】
本発明に先行する従来技術として、特開平６ー３１２７８３号公報（Ｂ６５Ｄ８５／６８）に示される如き冷却貯蔵庫（冷却庫）が設置されている。この冷却貯蔵庫は、前面に開口した矩形状の断熱箱体内のに貯蔵室を形成し、この貯蔵室内を冷却装置の冷却器にて所定の温度に冷却することにより、食品を冷蔵若しくは冷凍保存するものであった。
【０００３】
【発明が解決しようとする課題】
然し乍ら、このような業務用冷却貯蔵庫は、狭い厨房室内で使用しなければならないため、使い勝手の向上が望まれていた。
本発明は、このような要望を叶えるため、使い勝手を向上させることを目的とする。
【０００４】
【課題を解決するための手段】
上述の目的を達成するための手段として、請求項１の発明では、断熱箱体内に形成した貯蔵室を冷却装置により冷却してなる冷却貯蔵庫において、前記断熱箱体の前面及びそれに隣接する側面にそれぞれ形成された開口と、該開口をそれぞれ開閉自在に閉塞した扉と、該一方の扉の相隣る扉の非枢支側に設けられた回動可能な縦仕切体とを備え、各扉にはそれぞれガスケットが設けられ、前記縦仕切体は扉閉塞直前では徐々に、前記縦仕切体の非装着側の扉のガスケットから離れる方向へ回動し、扉閉塞時には前記縦仕切体の非装着側の扉のガスケットに当接する冷却貯蔵庫を提供する。
【０００５】
このため、角部の縦仕切体が扉と共に回動し、相隣る扉を開けた時に邪魔となる縦仕切体がない状態で、貯蔵品の収納、搬出が可能となり、しかも、縦仕切体と扉側のガスケットとが密着し、気密性を良好なものとすることができる。
また、請求項２の発明では、断熱箱体にて上下に２室の貯蔵室を画成し、該貯蔵室を冷却装置により冷却してなる冷却貯蔵庫において、下室に設けられ、前記断熱箱体の前面及びそれに隣接する側面にそれぞれ形成された下室開口と、該下室開口をそれぞれ開閉自在に閉塞する下室扉と、上室に設けられ、前記断熱箱体の前面及びそれに隣接する側面にそれぞれ形成された上室開口と、該上室開口をそれぞれ開閉自在に閉塞する上室扉と、該一方の上室扉の相隣る扉の非枢支側に設けられた回動可能な縦仕切体とを備え、各上室扉にはそれぞれガスケットが設けられ、前記縦仕切体は扉閉塞直前では徐々に、前記縦仕切体の非装着側の上室扉のガスケットから離れる方向へ回動し、扉閉塞時には前記縦仕切体の非装着側の上室扉のガスケットに当接する冷却貯蔵庫を提供する。
【０００６】
このため、上室の角部の縦仕切体が上室扉と共に回動し、相隣る上室扉を開けた時に邪魔となる縦仕切体がない状態で、貯蔵品の収納、搬出が可能となり、しかも、縦仕切体と扉側のガスケットとが密着し、気密性を良好なものとすることができる。
【０００８】
【発明の実施の形態】
以下に図面に基づいて本発明の実施の形態を説明する。図１は本発明を具備する冷却貯蔵庫の正面図、図２は扉無しの状態を示す冷却貯蔵庫の正面図、図３は本発明を具備する冷却貯蔵庫の側面図、図４は図１のＡ−Ａ断面図、図５は冷却貯蔵庫の平面図、図６は扉閉塞直前の状態を示す図１のＢ−Ｂ断面図、図７は扉閉塞状態を示す図１のＢ−Ｂ断面図、図８は図１のＣ−Ｃ断面図、図９は本発明を具備する冷却貯蔵庫の扉開時の状態を示す斜視図、図１０は本発明に用いられる棚受けの斜視図、図１１は本発明に用いられる棚受けの側面図である。
【０００９】
図１の１は冷蔵庫、冷凍庫等の冷却貯蔵庫で、前面及び側面に開口２、３を形成し、内部を貯蔵室とする断熱箱体４と、この断熱箱体４の前面開口２及び側面開口３を開閉自在に閉塞する断熱材にて形成された正面扉５及び側面扉６と、これら正面扉５及び側面扉６に設けられた把手７と、前記断熱箱体４の上に設けられ、凝縮器８、圧縮機９、凝縮器冷却用送風機１０を設置した機械室１１と、この機械室１１の正面及び側面に設けられた正面機械室扉１２及び側面機械室扉１３と、この正面機械室扉１２から露出するコントロールパネル１４と、断熱箱体４の下面には、貯蔵室内の水を排水するため、貯蔵室底面に形成した排水口３６と連通した排水装置１５が取り付けられている。尚、１６は冷却貯蔵庫１を支持する台脚である。
【００１０】
また、冷却貯蔵庫１の前面開口２及び側面開口３の略中間の部分には、各開口２、３を上下に区切る横仕切体１７が設けられている。更に、下の各開口２、３の角部には、前記横仕切体１７を支持するため、断熱箱体４に固設した固定仕切体３８が設けられており、上の各開口２、３には、正面扉５の非枢支側に取り付けられた回動可能な縦仕切体３９が、正面扉５閉状態で前記固定仕切体３８の上に位置する事となる。
【００１１】
また、冷却貯蔵庫１内の貯蔵室の背面１８及び左側面１９には上下に延びる棚支柱２０が設けられており、この棚支柱２０には上下方向に複数の取付孔２１が形成されている。更に、上室の取付孔２１に取り付ける棚受け２２は、図１０及び図１１に示す構造で、下室の棚受けは図示しないが同様の形状でより小さいものである。即ち、下室側には開口角部に固定仕切体３８が設けられているため、この固定仕切体３８に棚受けを取り付けることができるためである。そして、この棚受け２２、又は図示しない棚受け上に棚２３が載置される事となる。
【００１２】
ここで、図１０及び図１１に示す棚受け２２は、横方向に突出した形態を成し、一端部に係合部２９を有する棚載置板３０と、この棚載置板３０の他端部に接続される支持板３１と、この支持板３１の端部に形成されるフック３２と、前記棚載置板３０の先端部に設けられ、断面略コ字状の棚係止部材３３と、前記棚載置板３０の後端部に設けられ、棚２３の上方移動を規制する断面Ｌ字状の規制部材３４とよりなるものである。
【００１３】
また、この棚受け２２に載置される棚２３は線材を組み合わせて四角状に形成したもので、太い線材２３Ａを四角形の枠状とし、中間に同じく太い線材２３Ａを渡して補強とし、その上面に細い線材２３Ｂを多数掛け渡して形成したものである。
また、冷却貯蔵庫１の貯蔵室の上部には、前記凝縮器８、圧縮機９等と冷凍サイクルを構成する冷却器２４が設けられている。この冷却器２４の下方には貯蔵室に冷気を循環させる冷気循環用送風機２５が設けられ、これら冷却器２４及び冷気循環用送風機２５は、冷却器カバー２６にて被覆されている。また、この冷却器カバー２６の冷気循環用送風機２５と対向する位置には冷気の吸込口２７が形成されており、背面１８側には冷気の吐出口２８が形成されている。
【００１４】
また、図５において、３５は前記コントロールパネル１４に接続された電装箱で、前記凝縮器８の前側、即ち前面側に設けられており、図中矢印の如く、側面機械室扉１３の下部から外気を導入し、反対側から排出する。
また、前記正面扉５及び側面扉６の縁部には、内部に磁石等の磁性体を有するガスケット３７が取り付けられている。更に、前記正面扉５及び側面扉６は、一辺をヒンジにて枢支し、他辺を非枢支側としており、各扉５、６の非枢支側は相互に対向するよう配設されている。
【００１５】
また、この縦仕切体３９の上面には、図８に示す如く、くの字形（Ｕ字状であっても良い）の溝３９Ａが形成されており、前記断熱箱体４の各開口２、３の上角部には、前記溝３９Ａを通過し、前記縦仕切体３９を案内する突起４１が設けられている。尚、４０はこの縦仕切体３９を固定する支持部材である。また前記突起４１の周囲には角状の突起架台４３が設けられており、前記縦仕切体３９の上面の２隅には、この突起架台４３と密着するヒレ片４２が設けられている。
【００１６】
従って、側面扉６のみ閉塞状態で、正面扉５を開閉する場合には、正面扉５の開動作に伴って、側面扉６のガスケット３７と磁着状態であった縦仕切体３９は、ガスケット３７から貯蔵室方向に回動して、ガスケット３７との磁着を解除し、正面扉５開動作をスムーズに行わせることができる。また、正面扉５の閉塞時にも、同様に正面扉５閉塞直前で、縦仕切体３９が側面扉６のガスケット３７を回避し、正面扉５の閉塞状態でガスケット３７方向に縦仕切体３９が回動して磁着するため、正面扉５の閉動作をスムーズに行なうことができる。
【００１７】
よって、側面扉６のガスケット３７が側方からの力で変形し、早期にガスケット３７交換となる事態を極力防止することができる。
【００２１】
【発明の効果】
請求項１の発明によると、断熱箱体内に形成した貯蔵室を冷却装置により冷却してなる冷却貯蔵庫において、前記断熱箱体の前面及びそれに隣接する側面にそれぞれ形成された開口と、該開口をそれぞれ開閉自在に閉塞した扉と、該一方の扉の相隣る扉の非枢支側に設けられた回動可能な縦仕切体とを備え、各扉にはそれぞれガスケットが設けられ、前記縦仕切体は扉閉塞直前では徐々に、前記縦仕切体の非装着側の扉のガスケットから離れる方向へ回動し、扉閉塞時には前記縦仕切体の非装着側の扉のガスケットに当接する冷却貯蔵庫を提供する。
【００２２】
このため、角部の縦仕切体が扉と共に回動し、相隣る扉を開けた時に邪魔となる縦仕切体がない状態で、貯蔵品の収納、搬出が可能となり、しかも、縦仕切体と扉側のガスケットとが密着し、気密性を良好にできる。従って、使い勝手の良好な冷却貯蔵庫を提供することができる。
また、請求項２の発明では、断熱箱体にて上下に２室の貯蔵室を画成し、該貯蔵室を冷却装置により冷却してなる冷却貯蔵庫において、下室に設けられ、前記断熱箱体の前面及びそれに隣接する側面にそれぞれ形成された下室開口と、該下室開口をそれぞれ開閉自在に閉塞する下室扉と、上室に設けられ、前記断熱箱体の前面及びそれに隣接する側面にそれぞれ形成された上室開口と、該上室開口をそれぞれ開閉自在に閉塞する上室扉と、該一方の上室扉の相隣る扉の非枢支側に設けられた回動可能な縦仕切体とを備え、各上室扉にはそれぞれガスケットが設けられ、前記縦仕切体は扉閉塞直前では徐々に、前記縦仕切体の非装着側の上室扉のガスケットから離れる方向へ回動し、扉閉塞時には前記縦仕切体の非装着側の上室扉のガスケットに当接する冷却貯蔵庫を提供する。
【００２３】
このため、上室の角部の縦仕切体が上室扉と共に回動し、相隣る上室扉を開けた時に邪魔となる縦仕切体がない状態で、貯蔵品の収納、搬出が可能となり、しかも、縦仕切体と扉側のガスケットとが密着し、気密性を良好なものとすることができる。従って、使い勝手の良好な冷却貯蔵庫を提供することができる。
【図面の簡単な説明】
【図１】本発明を具備する冷却貯蔵庫の正面図である。
【図２】扉無しの状態を示す冷却貯蔵庫の正面図である。
【図３】本発明を具備する冷却貯蔵庫の側面図である。
【図４】図１のＡ−Ａ断面図である。
【図５】冷却貯蔵庫の平面図である。
【図６】扉閉塞直前の状態を示す図１のＢ−Ｂ断面図である。
【図７】扉閉塞状態を示す図１のＢ−Ｂ断面図である。
【図８】図１のＣ−Ｃ断面図である。
【図９】本発明を具備する冷却貯蔵庫の扉の開状態を示す斜視図である。
【図１０】本発明に用いられる棚受けの斜視図である。
【図１１】本発明に用いられる棚受けの側面図である。
【符号の説明】
１  冷却貯蔵庫
２  前面開口
３  側面開口
４  断熱箱体
５  前面扉
６  側面扉
３７  ガスケット
３９  縦仕切体
【図１】
0003717581.tif 000002
【図２】
0003717581.tif 000003
【図３】
0003717581.tif 000004
【図４】
0003717581.tif 000005
【図５】
0003717581.tif 000006
【図６】
0003717581.tif 000007
【図７】
0003717581.tif 000008
【図８】
0003717581.tif 000009
【図９】
0003717581.tif 000010
【図１０】
0003717581.tif 000011
【図１１】
0003717581.tif 000012